(57)【要約】【課題】アンテナによる信号の干渉を低減する。【解決手段】一実施形態において、コンピューティング装置においてアンテナの使用を制御するための方法は、いずれの無線送受信装置がアクティブであるかを判定すること（４００）と、複数の無線送受信装置がアクティブである場合には、該無線送受信装置のそれぞれがそれぞれの１つのアンテナだけしか使用することができないように送信／受信ダイバーシティをディセーブルにすること（４０６）とを含む。【選択図】図４
2007124647.tif 000002
【特許請求の範囲】
【請求項１】
いずれの無線送受信装置がアクティブであるかを判定し（４００）、及び、
複数の無線送受信装置がアクティブである場合には、該無線送受信装置のそれぞれがそれぞれの１つのアンテナだけしか使用することができないように送信／受信ダイバーシティをディセーブルにする（４０６）
ことを含むことからなる、コンピューティング装置においてアンテナの使用を制御するための方法。
【請求項２】
前記いずれの無線送受信装置がアクティブであるかを判定することは、前記コンピューティング装置の基本入出力システムを使用することを含むことからなる、請求項１に記載の方法。
【請求項３】
前記送信／受信ダイバーシティをディセーブルにすることは、前記コンピューティング装置の送受信デバイスドライバによってアクセス可能な前記コンピューティング装置のオペレーティングシステムに対して送受信装置ステータスを提供すること（５０２）を含むことからなる、請求項１に記載の方法。
【請求項４】
送受信デバイスドライバを使用してデフォルトアンテナを選択すること（５０６）を更に含む、請求項１に記載の方法。
【請求項５】
前記送信／受信ダイバーシティをディセーブルにすることは、前記送受信装置がいずれのアンテナを使用すべきかを示す制御信号を、送受信デバイスドライバに提供すること（６０８）を含むことからなる、請求項１に記載の方法。
【請求項６】
前記送信／受信ダイバーシティをディセーブルにすることは、アンテナに関連付けられた物理スイッチを制御することを含むことからなる、請求項１に記載の方法。
【請求項７】
アンテナの使用を制御すること（４０８）を更に含み、これにより、第１の無線技術によって用いられるアンテナは、該第１の無線技術のアンテナから比較的距離が離れた、第２の無線技術によって使用されるアンテナから、距離が離されることからなる、請求項１に記載の方法。
【請求項８】
コンピューティング装置においてアンテナの使用を制御するためのシステムであって、
いずれの無線送受信装置がアクティブであるかを判定する手段（２２６）と、
複数の無線送受信装置がアクティブである場合に、該無線送受信装置のそれぞれがそれぞれの１つのアンテナだけしか使用することができないように送信／受信ダイバーシティをディセーブルにする手段（２２６）
とを備える、システム。
【請求項９】
前記いずれの無線送受信装置がアクティブであるかを判定する手段は、前記コンピューティング装置の基本入出力システム（２１８）を備える、請求項８に記載のシステム。
【請求項１０】
前記送信／受信ダイバーシティをディセーブルにする手段は、前記コンピューティング装置の送受信デバイスドライバを備える、請求項８に記載のシステム。
【発明の詳細な説明】
【技術分野】
【０００１】
本発明は、アンテナの利用に関し、特に、コンピューティング装置においてアンテナの使用を制御するための方法及びシステムに関する。
【背景技術】
【０００２】
最近のコンピューティング装置は、無線通信用に構成されることが多い。更には、こうしたコンピューティング装置は、複数の無線技術を用いて同時に通信するように頻繁に構成される。例えば、ノートブックコンピュータは、電気電子学会（ＩＥＥＥ）８０２．１１プロトコルによって無線ローカルエリアネットワーク（ＷＬＡＮ）にか、又は無線広域ネットワーク（ＷＷＡＮ）に接続するように、及びＢｌｕｅｔｏｏｔｈプロトコルを用いて様々な周辺装置に接続するように構成される場合がある。こうした構成により、例えば、音楽をコンピューティング装置に無線でストリーミングすることができ、次いで、ユーザのワイヤレスヘッドセットに無線で送信することができる。
【０００３】
コンピューティング装置が２つか又は３つ以上の無線技術を用いて通信することができる時には、該コンピューティング装置内において別個の送受信装置が設けられ、それらは各々、典型的にはそれ自身のアンテナを備える。例えば、コンピューティング装置は、第１のアンテナを有する８０２．１１送受信装置と、第２のアンテナを有するＢｌｕｅｔｏｏｔｈ送受信装置とを備えることができる。場合によっては、最も強い信号を送信及び／又は受信することができるアンテナを利用することができるように、所与の送受信装置に対して２つか又は３つ以上の別個のアンテナが設けられる。
【発明の開示】
【発明が解決しようとする課題】
【０００４】
１つの無線技術を用いて通信することは、コンピューティング装置の別の無線技術の通信と干渉する可能性がある。より詳細には、通常、比較的高い電力が無線送信のために必要とされることに起因して、第１の無線技術を使用する第１のアンテナからの送信が、第２の無線技術を使用する第２の近接するアンテナによる信号の受信に干渉する可能性がある。このことは、２つの無線技術が異なる周波数帯域を使用する時でさえ、当てはまる可能性がある。
【課題を解決するための手段】
【０００５】
本発明の一実施例は、
いずれの無線送受信装置がアクティブであるかを判定し（４００）、及び、
複数の無線送受信装置がアクティブである場合には、該無線送受信装置のそれぞれがそれぞれの１つのアンテナだけしか使用することができないように送信／受信ダイバーシティをディセーブルにする（４０６）
ことを含むことからなる、コンピューティング装置においてアンテナの使用を制御するための方法である。
【発明の効果】
【０００６】
アンテナによる信号の干渉を低減する。
【実施例】
【０００７】
添付図面に関連させて、開示したシステム及び方法をより良く理解することができる。図面内における構成要素は、必ずしも一定の縮尺には従っているとは限らない。
【０００８】
上述のように、２つか又は３つ以上の異なる無線技術を用いた同時通信は、干渉による問題がもたらされる可能性がある。特に、第１のアンテナからの送信が、第２の近接するアンテナによる信号の受信に対する干渉をもたらす可能性がある。従って、少なくとも他の無線技術がどれもアクティブでない時には、送信／受信ダイバーシティが利用可能であるという解決策が望まれる。本明細書内において使用されているように、「送信／受信ダイバーシティ」は、データを送信か、受信か、又は送受信することに使用されるアンテナ（複数可）全体にわたる制御を指す。
【０００９】
以下に開示したのは、第２の無線技術による無線通信を低速にする可能性があるか又は妨げる可能性さえある干渉を回避するために、コンピューティング装置のアンテナの使用を管理するためのシステム及び方法である。これらシステム及び方法に従って、アンテナは、本質的に、いずれの無線技術がアクティブであるかに基づき、使用に関してイネーブルにされるか又はディセーブルにされる。このようなシステムによって、他の無線技術がどれも使用中でない時に、送信／受信ダイバーシティがイネーブルにされる。別の無線技術が使用されることになると、送信／受信ダイバーシティはディセーブルにされ、それらアンテナは、任意の送信アンテナが任意の受信アンテナから比較的遠くに間隔が空けられるといった手法で、イネーブル及びディセーブルにされる。前記システム及び方法の具体的な実施形態が以下に開示されるが、これらの実施形態は、開示したシステム及び方法の説明を容易にするための単なる例示の目的のために提供される。
【００１０】
次に、図面をより詳細に参照すると、図面内において、同様の番号は、各図にわたって対応する部分を示し、図１は、アンテナの管理を実施することができる一例としてのシステム１００を示す。この図内において示されるように、システム１００は、概して、２つか又は３つ以上の異なる無線技術を用いて無線通信用に構成されたユーザコンピューティング装置１０２を備える。図１の例において、コンピューティング装置１０２は、無線ローカルエリアネットワーク（ＷＬＡＮ）の無線アクセスポイント（ＷＡＰ）１０４と、１つか又は複数の無線ユーザインターフェース装置１０６と、及びオプションで通信タワー１１０（例えばセル）を介して広域ネットワーク（ＷＡＮ）と通信するよう構成されると仮定されている。
【００１１】
図１の実施形態において、コンピューティング装置１０２は、ノートブックコンピュータ、すなわち「ラップトップ」コンピュータである。コンピューティング装置１０２はノートブックコンピュータを含む必要はないが、こうしたポータブルコンピュータは、特に前記ＷＡＰ１０４のようなアクセスポイントを組み込んだＬＡＮによる無線通信用に頻繁に構成される。システム１００において使用されることが可能なコンピューティング装置の他の例は、デスクトップコンピュータと、携帯情報端末（ＰＤＡ）、タブレット、ハンドヘルドゲーム機、及び携帯電話器のような、ハンドヘルドコンピュータとを含む（但しこれらに限定されない）。
【００１２】
図１の、例としての無線ユーザインターフェース装置１０６は、ワイヤレスキーボード１１２、ワイヤレスマウス１１４、及びワイヤレスヘッドセット１１６を含む。提供される時には、ワイヤレスヘッドセット１１６を、コンピューティング装置１０２から音声信号を受信し及び／又はコンピューティング装置１０２へと音声信号を送信するように構成することができる。他の例の無線ユーザインターフェース装置は、ワイヤレスビデオヘッドセットと、ワイヤレスステレオヘッドフォンとを含むことができる（但しこれらに限定されない）。
【００１３】
コンピューティング装置１０２とＷＡＰとの間の通信は、任意の利用可能な無線プロトコルか又は更にこれから作成されることとなる無線プロトコルによるものとすることができる。例として、ＩＥＥＥ８０２．１１ｂプロトコルか又は８０２．１１ｇプロトコルを使用することができる。同様にして、コンピューティング装置１０２と無線ユーザインターフェース装置１０６との間の通信は、任意の利用可能な無線プロトコルか又は更にこれから作成されることとなる無線プロトコルによるものとすることができる。例として、コンピューティング装置１０２と無線ユーザインターフェース装置１０６との間の通信を容易にするために、Ｂｌｕｅｔｏｏｔｈ（ＩＥＥＥ８０２．１５）プロトコルを使用することができる。最終的には、コンピューティング装置１０２とＷＡＮ１０８との間の通信もまた、符号分割多重接続（ＣＤＭＡ）か又は汎用パケット無線サービス（ＧＰＲＳ）を介した無線広域ネットワーク（ＷＷＡＮ）プロトコルのような無線プロトコルによるものとすることができる。少なくともいくつかの実施形態において、２つか又は３つ以上の異なる無線技術を、同時に使用するために利用ことができる。
【００１４】
図２は、図１に示されたコンピューティング装置１０２のための一例としてのアーキテクチャを示すブロック図である。図２に示されるように、コンピューティング装置１０２は、処理装置２００、メモリ２０２、無線送受信装置２０４、アンテナ２０６、及びユーザインターフェース装置２０８を備える。これらの構成要素の各々は、内部バスのようなローカルインターフェース２１０に接続される。
【００１５】
処理装置２００は、メモリ２０２内に格納されたコマンドを実行するよう構成されており、マイクロプロセッサのような汎用プロセッサか、１つか又は複数の特定用途向け集積回路（ＡＳＩＣ）か、複数の適合可能に構成されたディジタル論理ゲートか、又はコンピューティング装置１０２の動作全体を調整するディスクリートデバイスから成る他の構成要素を、含むことができる。メモリ２０２は、揮発性メモリ素子（例えばランダムアクセスメモリ（ＲＡＭ））及び不揮発性メモリ素子（例えば読み出し専用メモリ（ＲＯＭ）、フラッシュメモリ、ハードディスク等）のうちの任意の１つか又はそれらの組み合わせを含む。
【００１６】
無線送受信装置２０４は、送信するための無線信号を生成することができ、及びそのような信号を受信することができ、又はその両方を行うことができる、装置を含む。図２の例示的な実施形態において、無線送受信装置２０４は、ＷＬＡＮ装置２１２、Ｂｌｕｅｔｏｏｔｈ装置２１４、及びＷＡＮ装置２１６を含む。
【００１７】
メモリ２０２は、基本入出力システム（ＢＩＯＳ）２１８、オペレーティングシステム（Ｏ／Ｓ）２２０、及び無線デバイスドライバ２２２を含む様々なプログラムを含む。ＢＩＯＳ２１８は、コンピューティング装置１０２と、無線送受信装置２０４及びアンテナ２０６を含むその構成要素との低レベル動作を制御するコードを含む。ＢＩＯＳは、コンピューティング装置の働き（アクティビティ）と送受信装置を含むコンピューティング装置の全ての構成要素とを制御する。Ｏ／Ｓ（２２０）は、スケジューリング、入出力制御、ファイル及びデータ管理、メモリ管理、並びに通信制御を提供し、ユーザの観点からコンピューティング装置１０２の全般動作を制御する。ドライバ２２２は、無線送受信装置２０４と、下記に説明されるように送受信装置を使用して通信するために使用されるアンテナとの動作を制御するソフトウェアを含む。典型的には、各無線送受信装置２０４を制御するために別個のドライバ２２２が使用される。
【００１８】
図２において更に示されるように、ＢＩＯＳ２１８は、コンピューティング装置１０２によって構成される無線技術によってどのアンテナが使用されるかを自動的に制御するために使用されるアンテナマネージャ２２６を備える。いくつかの実施形態において、アンテナマネージャ２２６が使用されて、アンテナの使用について制御をもたらすためにデバイスドライバ２２２を制御する。他の実施形態において、アンテナマネージャ２２６は、スイッチ２０７を使用することによって、アンテナ２０６を直接的に制御する。いくつかの実施形態において、アンテナマネージャ２２６は、ＢＩＯＳ２１８の一部を形成する。他の実施形態において、アンテナマネージャ２２６は、ＢＩＯＳ２１８の一部ではないが、任意の特定の瞬間に各送受信装置のステータスを取得するためにＢＩＯＳにアクセスすることができる。従って、マネージャ２２６は、送受信装置の起動（アクティベーション）のような送受信装置の状態の任意の変化が通知される。
【００１９】
本明細書内において、様々なロジックについて説明してきた。このロジックを、任意のコンピュータ関連システムか又は方法によってか、又は任意のコンピュータ関連システムに関連して使用されるための任意のコンピュータ読み出し可能媒体に格納することができる。この文書のコンテキスト内において、コンピュータ読み出し可能媒体は、コンピュータ関連システム又は方法によってか或いはコンピュータ関連システム又は方法に関連して使用されるためのコンピュータロジックを含むか又は格納する、電子的か、磁気的か、光学的か、又は他の物理学的な装置又は手段である。このロジックを、コンピュータベースのシステムか、プロセッサ内蔵システムか、或いは（命令実行システムか、装置か、又はデバイスから命令をフェッチして、それら命令を実行することが可能な）他のシステムのような、命令実行システムか、装置か、又はデバイスによってか或いはそれらに関連して使用されるための任意のコンピュータ読み出し可能媒体内において具現化することができる。
【００２０】
図３Ａ及び図３Ｂを参照すると、コンピューティング装置１０２のための第１の一例としてのアンテナ構成と第２の一例としてのアンテナ構成とが示されている。まず最初に図３Ａを参照すると、コンピューティング装置１０２は、３つのアンテナ、すなわちアンテナ１、アンテナ２、及びアンテナ３を備える。図３Ａに示されるように、アンテナ１とアンテナ３とは互いに比較的近接しているが、アンテナ２は、アンテナ１及びアンテナ３から比較的距離が離れている。例として、アンテナ１及びアンテナ２は、ＷＬＡＮ送受信装置２１２のような第１の無線技術によって使用され、アンテナ３は、Ｂｌｕｅｔｏｏｔｈ送受信装置２１４のような第２の無線技術によって使用される（図２を参照）。こうした方式により、送信／受信ダイバーシティを、ＷＬＡＮ（例えば８０２．１１）通信に関連して使用することができる。従って、例えば、アンテナ２と比較してより強い信号がアンテナ１によって受信される場合には、アンテナ１を通信に関してイネーブルにすることができ、アンテナ２をディセーブルにすることができる。
【００２１】
図３Ｂを参照すると、コンピューティング装置１０２は、４つのアンテナ、すなわちアンテナ１、アンテナ２、アンテナ３、及びアンテナ４を備え、アンテナ１とアンテナ３とは互いに比較的近接しており、アンテナ２とアンテナ４とは互いに比較的近接しているがアンテナ１及びアンテナ３からは比較的離れている。例として、アンテナ１及びアンテナ２は、第１の無線技術（例えば８０２．１１）によって使用され、アンテナ３及びアンテナ４は、第２の無線技術（例えばＣＤＭＡ、ＧＰＲＳ）によって使用される。こうした方式では、送信／受信ダイバーシティは、例えばＷＬＡＮ通信とＷＡＮ通信との両方において利用可能である。
【００２２】
例としてのシステムが上記において説明されてきたが、次にシステムの動作が説明される。下記の説明では、フローチャートが提供される。これらのフローチャート内における処理フローか又はブロックは、プロセス内における特定のロジック機能を実現するための１つか又は複数の実行可能な命令を含むモジュールか、セグメントか、又はコードの一部を表すことができる。特定の例のプロセス機能が説明されるが、代替のインプリメンテーションも実行可能である。更には、含まれた機能に依存して、一部を、実質的に同時にか又は逆の順序を含む、図示されたか又は説明された順序とは異なる順序で実行することもできる。
【００２３】
図４は、アンテナマネージャ２２６の概念的な動作の概略を提供する、アンテナの使用を管理するための一例の方法の実施形態を示す。ブロック４００で開始すると、マネージャ２２６は、いずれの無線送受信装置がアクティブであるかを判定する。マネージャ２２６は、この判定を、コンピュータの各装置の、ＢＩＯＳが列挙した状態に基づいて行う。
【００２４】
次にブロック４０２を参照すると、フローは、複数の送受信装置がアクティブであるか否かに依存する。「アクティブ」になっている点に関して、判定は、装置がオンに切り換えられている（従って送信及び／又は受信の準備ができている）かどうかに依存することができる。代替として、「アクティブ」は、装置がアンテナを使用してアクティブに信号を送信していることを意味することもできる。複数の送受信装置がアクティブでない場合には、これは、こうした装置のいずれもアクティブでないか、又はこうした装置の１つだけがアクティブであることを意味し、ブロック４０４内に示されるように、アンテナマネージャ２２６は送信／受信ダイバーシティをイネーブルにする。従って、２つのアンテナを有する送受信装置がアクティブである場合には、その装置はいずれのアンテナも自由に使用することができ、従って、最も強い信号を送信し及び／又は受信することができるアンテナを選択することができる。
【００２５】
一方、複数の送受信装置がアクティブである場合には、フローはブロック４０６に継続し、該ブロック４０６において、アンテナマネージャ２２６は、各装置２０４がその通信のために１つのアンテナしか使用することができないように送信／受信ダイバーシティをディセーブルにする。更に、ブロック４０８内に示されるように、前記マネージャ２２６は、複数の通信間の干渉を低減するようにアンテナの使用を制御する。こうした制御を、図３Ａ及び図３Ｂに関連して説明することができる。上述のように、第１の無線技術（例えば８０２．１１）は、アンテナ１及びアンテナ２に関連付けられているが、第２の無線技術（例えばＢｌｕｅｔｏｏｔｈ）は、アンテナ３に関連付けられている。干渉が低減されることになる場合には、無線通信に使用されるアンテナが物理的に互いからより遠くに離れて間隔が空けられるように、第１の無線技術にアンテナ２を使用させることが望ましい。従って、マネージャ２２６は、事実上、アンテナ１をディセーブルにし、アンテナ２をイネーブルにすることにより、こうした結果を保証することができる。図３Ｂを参照すると、第１の無線技術がアンテナ１及びアンテナ２を使用し、第２の無線技術がアンテナ３及びアンテナ４を使用することを仮定しており、第２の無線技術がアンテナ４を使用する時には第１の無線技術がアンテナ１を使用するか、又は第２の無線技術がアンテナ３を使用する時には第１の無線技術がアンテナ２を使用するように、マネージャ２２６はアンテナの使用を制御することができる。従って、いずれの場合でも、マネージャ２２６は、複数の無線技術を制御する。これにより、それらが互いに最も距離が離れたアンテナを使用することとなる。こうした方式では、第１の無線技術を用いた第１のアンテナからの送信は、第２の無線技術を用いた第２のアンテナにおける信号の受信に干渉する可能性が低くなる。
【００２６】
図５には、アンテナの使用を管理するための更なる方法の一実施形態が記載されている。この実施形態において、アンテナマネージャ２２６は、送受信デバイスドライバ２２２にステータス情報を提供することによって、アンテナの使用を制御する。ブロック５００で開始すると、マネージャ２２６は、図４に関連して上記に説明されたように、いずれの無線送受信装置がアクティブであるか又は非アクティブであるかを判定する。
【００２７】
次にブロック５０２を参照すると、マネージャ２２６は、オペレーティングシステムＯ／Ｓに対して送受信装置（複数可）のステータスを提供する。例えば、送受信装置のステータスが非アクティブからアクティブに変更される場合には、このステータスがＯ／Ｓに報告される。例として、送受信装置のステータスは、送受信装置のためのドライバにとってアクセス可能なＯ／Ｓ内に含まれる参照テーブル内において更新される。ステータスを示すことに加えて、該参照テーブルは、送受信装置のステータスに依存する、関連付けられたデフォルトアンテナのイネーブル／ディセーブルの指示を含むことができる。例えば、図３Ａを参照すると、アンテナ１及びアンテナ２が第１の無線技術に関連付けられており、アンテナ３が第２の無線技術に関連付けられている場合には、アンテナ１及びアンテナ２のうちのアンテナ２は、第１の無線技術と第２の無線技術との両方の送受信装置がアクティブである場合に使用されるためのデフォルトアンテナとして指定されることが可能であり、その結果、アンテナ３から最も距離が離れた第１の無線技術のアンテナが使用されることとなる。
【００２８】
そのステータスがＯ／Ｓに提供されると、デバイスドライバは、ブロック５０４に示されるように、適用可能である場合には、どのアンテナをイネーブルにすべきか又はディセーブルにすべきかを決定するためにステータス情報を調査する。例として、この調査は定期的に発生する。これにより、アンテナの変更を、送受信装置の状態の変化に基づき、動的に行わせることができる。ブロック５０６を参照すると、ドライバ（複数可）は、アンテナマネージャ２２６によって提供されたステータスの調査から収集された情報に従ってデフォルトアンテナを選択する。例えば、再び図３Ａを参照すると、送受信装置２１２（図２）がアンテナ１によって送信しており、送受信装置２１４がアンテナ３によって後に受信を開始する場合には、送受信装置２１２に関連したドライバは、このステータスの変化を知ることができ（ブロック５０４）、従って、アンテナ２による送信に切り替える（ブロック５０６）。
【００２９】
図６には、アンテナの使用を管理するための別の方法の実施形態が記載されている。この実施形態において、アンテナマネージャ２２６は、制御信号をデバイスドライバ２２２に送信することによってアンテナの使用を制御する。ブロック６００を参照すると、マネージャ２２６は、上述の手法において、どの無線送受信装置がアクティブであるかを判定する。ブロック６０２を参照すると、複数の送受信装置がアクティブでない場合には、前記マネージャ２２６は、ブロック６０４内に示されるように、送信／受信ダイバーシティをイネーブルにする。換言すると、マネージャ２２６は、送受信装置によるアンテナの使用を制限するように作用しないので、送受信装置が必要に応じてアンテナ間を自由に切り替えることができる。
【００３０】
しかしながら、複数の送受信装置がアクティブである場合には、フローはブロック６０６に継続し、該ブロック６０６において、マネージャ２２６は、いずれのアンテナ（複数可）をイネーブルにすることができるか及びいずれのアンテナをディセーブルにすることができるかを判断する。例えば、図３Ｂを参照すると、アンテナ１及びアンテナ２が第１の無線技術に関連付けられており、且つ、アンテナ３及びアンテナ４が第２の無線技術に関連付けられている場合には、第１の無線技術がすでにアクティブでありアンテナ１を使用していると仮定すると、アンテナマネージャ２２６は、第２の無線技術が後にアクティブになる場合には、その技術に対しアンテナ１から最も離れたアンテナ４を使用させるように決定することができる。
【００３１】
次に、アンテナマネージャ２２６は、ブロック６０８に示されるように、いずれのアンテナが送受信装置（複数可）によって使用されるかを制御するために、送受信装置（複数可）に関連付けられたデバイスドライバ（複数可）に制御信号を提供する。制御信号は、様々な異なる形態をとることができる。例として、ＢＩＯＳイベントに対してWindows Management Instrumentation（ＷＭＩ）サービスが登録されている場合には、該ＢＩＯＳは、該ＷＭＩサービスを使用して、ダイバーシティの挙動の変更を開始するためにドライバに対して特定のファンクションコールをさせることができる。ドライバに対するファンクションコールは、アンテナマネージャ２２６によって要求されると、指定された無線装置に対するダイバーシティをイネーブルにするか又はディセーブルにすることができる。
【００３２】
図７Ａ〜図７Ｂ、及び図８Ａ〜図８Ｄは、上述した方法の実施形態と一致する例としてのアンテナ管理方式を示す。図７Ａ及び図７Ｂにおいて、コンピューティング装置は、図３Ａに関連して説明した構成に類似する構成を備える。図８Ａ〜図８Ｄにおいて、コンピューティング装置は、図３Ｂに関連して説明した構成に類似する構成を備える。
【００３３】
図７Ａで開始すると、第１の無線技術に関連付けられたアンテナ１及びアンテナ２は、アンテナ３を使用する第２の無線技術が非アクティブである時に使用される場合に、イネーブルにされる。図７Ｂにおいて、第２の無線技術がアクティブになる時には、アンテナ３がイネーブルにされ、アンテナ１がディセーブルにされる。
【００３４】
図８Ａを参照すると、第１の無線技術に関連付けられたアンテナ１及びアンテナ２は、アンテナ３及びアンテナ４を使用する第２の無線技術が非アクティブである時に使用される場合に、イネーブルにされる。図８Ｂにおいて、第２の無線技術に関連付けられたアンテナ３及びアンテナ４は、アンテナ１及びアンテナ２を使用する第１の無線技術が非アクティブである時に使用される場合にイネーブルにされる。図８Ｃにおいて、両無線技術がアクティブであり、一方がアンテナ１を使用し他方がアンテナ４を使用する。図８Ｄにおいて、両無線技術がアクティブであり、一方がアンテナ２を使用し他方がアンテナ３を使用する。
【００３５】
上記アンテナ管理が、ソフトウェアベースの解決策に関して説明されたが、代わりにハードウェアベースの解決策を使用することができるということに留意されたい。例えば、図６に関連して説明した実施形態において、アンテナマネージャ２２６がデバイスドライバに制御信号を提供する代わりに、該アンテナマネージャ２２６はアンテナに関連付けられたスイッチ２０７を直接制御して、該アンテナをイネーブルにするか又はディセーブルにすることができる。
【図面の簡単な説明】
【００３６】
【図１】アンテナの管理を実施することができるシステムの一実施形態の概略図である。
【図２】図１に示されたコンピューティング装置の一実施形態のブロック図である。
【図３Ａ】図２のコンピューティング装置のようなコンピューティング装置に対する第１の一例としてのアンテナ構成の概略図である。
【図３Ｂ】図２のコンピューティング装置のようなコンピューティング装置に対する第２の一例としてのアンテナ構成の概略図である。
【図４】アンテナの使用を管理する方法の第１の実施形態を示すフローチャートである。
【図５】アンテナの使用を管理する方法の第２の実施形態を示すフローチャートである。
【図６】アンテナの使用を管理する方法の第３の実施形態を示すフローチャートである。
【図７Ａ】第１のアンテナ構成に対する一例としてのアンテナ管理方式を示す図である。
【図７Ｂ】第１のアンテナ構成に対する一例としてのアンテナ管理方式を示す図である。
【図８Ａ】第２のアンテナ構成に対する一例としてのアンテナ管理方式を示す図である。
【図８Ｂ】第２のアンテナ構成に対する一例としてのアンテナ管理方式を示す図である。
【図８Ｃ】第２のアンテナ構成に対する一例としてのアンテナ管理方式を示す図である。
【図８Ｄ】第２のアンテナ構成に対する一例としてのアンテナ管理方式を示す図である。
【符号の説明】
【００３７】
２１８  基本入出力システム
２２６  アンテナマネージャ
【図１】
2007124647.tif 000003
【図２】
2007124647.tif 000004
【図３Ａ】
2007124647.tif 000005
【図３Ｂ】
2007124647.tif 000006
【図４】
2007124647.tif 000007
【図５】
2007124647.tif 000008
【図６】
2007124647.tif 000009
【図７Ａ】
2007124647.tif 000010
【図７Ｂ】
2007124647.tif 000011
【図８Ａ】
2007124647.tif 000012
【図８Ｂ】
2007124647.tif 000013
【図８Ｃ】
2007124647.tif 000014
【図８Ｄ】
2007124647.tif 000015